(57)【特許請求の範囲】
【請求項１】
透明基板上に複数の映像信号配線および走査信号配線がマトリクス状に形成され、
前記映像信号配線または走査信号配線に接続される共通配線が形成され、
前記透明基板のいずれかの１辺に沿って、前記映像信号配線に映像信号を供給する映像信号駆動ＩＣ、および、前記走査信号配線に走査信号を供給する走査信号駆動ＩＣの双方がチップオングラス工法により前記透明基板上に直接実装され、
前記透明基板の短辺側の外形センターと前記透明基板に形成された表示エリアの外形センターとは略同一であり、前記１辺以外の３辺には前記映像信号駆動ＩＣおよび走査信号駆動ＩＣのいずれも実装されていない３辺フリーの液晶表示パネルであって、
一括点灯画像方式により点灯画像検査を行う際に検査用端子として用いる前記共通配線に接続された一括点灯画像検査用ＰＡＤが、前記走査信号駆動ＩＣおよび映像信号駆動ＩＣの少なくともいずれか一方の出力端子と入力端子との間に形成されたことを特徴とする液晶表示パネル。
【請求項２】
請求項１記載の液晶表示パネルを表示部に用いた携帯情報端末装置。
【請求項３】
透明基板上に複数の映像信号配線および走査信号配線をマトリクス状に形成する工程と、
前記映像信号配線または走査信号配線に接続される共通配線を形成する工程と、
前記透明基板のいずれかの１辺のみに沿って、前記映像信号配線に映像信号を供給する映像信号駆動ＩＣ、および、前記走査信号配線に走査信号を供給する走査信号駆動ＩＣの双方がチップオングラス工法により前記透明基板上に直接実装する工程と、
一括点灯画像方式により、前記共通配線に接続された一括点灯画像検査ＰＡＤに検査ピンを当て画像検査を行う点灯画像検査工程と、を備える液晶表示パネルの製造方法であって、
前記一括点灯画像検査用ＰＡＤを、前記走査信号駆動ＩＣおよび映像信号駆動ＩＣの少なくともいずれか一方の出力端子と入力端子との間に形成することを特徴とする液晶表示パネルの製造方法。
【発明の詳細な説明】
【０００１】
【発明の属する技術分野】
本発明は、液晶表示パネルの構成に関する。
【０００２】
【従来の技術】
液晶表示パネルの内部配線は、図３に示すようにガラス基板１に複数の映像信号配線５と走査信号配線４をマトリクス状に形成され、このマトリクスの各交点に画素電極９が形成されている。液晶表示パネルには、液晶を駆動する映像信号駆動IC２、および走査信号駆動IC３が液晶表示パネルの少なくとも２辺に直接実装できるように端子が形成されている。
【０００３】
従来の液晶パネルの画像検査方法は、図３に示したように、液晶表示パネルの複数の映像信号配線５と複数の走査信号配線４の少なくとも一方に接続した共通配線７に一括点灯画検査用PAD８を形成し、この端子に検査用プローブを立てて検査用信号を供給し、液晶表示パネルの画像検査を行って簡易的に良否の判定を行っていた。そして、この一括検査用PAD８は、図３に示すように、映像信号駆動IC２、および走査信号駆動IC３を実装する少なくとも２辺のうちのいずれか一方の辺に形成していた。
【０００４】
【発明が解決しようとする課題】
しかし、近年、携帯向け液晶表示パネルの構成は、液晶表示パネルの短辺側の外形センターと表示エリアのセンターを同一にする３辺フリーの液晶表示パネルの構成が主流になてきている。この３辺フリーの液晶表示パネル構成にすると、液晶を駆動するICが１辺側にしか実装ができなくなり一括検査用PAD８を従来のような位置に形成することができないという問題を生じる。
【０００５】
点灯画像検査工程は、歩留まりなど把握するための重要な工程であり、もしこの点灯画像検査が行わなければ、その液晶表示パネルの品位も最終検査までいかないと分からないという問題が生じ、非常に生産性の効率が低下する。
【０００６】
本発明は、上記従来の問題点を解決するもので、確実に液晶パネル状態での電気検査を行えるようにし、後工程に不良を持ち込まないようにすることができる液晶表示パネルを提供する。
【０００７】
【課題を解決するための手段】
請求項１記載の液晶表示パネルは、透明基板上に複数の映像信号配線および走査信号配線がマトリクス状に形成され、前記映像信号配線または走査信号配線に接続される共通配線が形成され、前記透明基板のいずれかの１辺に沿って、前記映像信号配線に映像信号を供給する映像信号駆動ＩＣ、および、前記走査信号配線に走査信号を供給する走査信号駆動ＩＣの双方がチップオングラス工法により前記透明基板上に直接実装され、前記透明基板の短辺側の外形センターと前記透明基板に形成された表示エリアの外形センターとは略同一であり、前記１辺以外の３辺には前記映像信号駆動ＩＣおよび走査信号駆動ＩＣのいずれも実装されていない３辺フリーの液晶表示パネルであって、一括点灯画像方式により点灯画像検査を行う際に検査用端子として用いる前記共通配線に接続された一括点灯画像検査用ＰＡＤが、前記走査信号駆動ＩＣおよび映像信号駆動ＩＣの少なくともいずれか一方の出力端子と入力端子との間に形成されたことを特徴とする液晶表示パネルである。
【０００８】
また、請求項３記載の液晶表示パネルの製造方法は、透明基板上に複数の映像信号配線および走査信号配線をマトリクス状に形成する工程と、前記映像信号配線または走査信号配線に接続される共通配線を形成する工程と、前記透明基板のいずれかの１辺のみに沿って、前記映像信号配線に映像信号を供給する映像信号駆動ＩＣ、および、前記走査信号配線に走査信号を供給する走査信号駆動ＩＣの双方がチップオングラス工法により前記透明基板上に直接実装する工程と、一括点灯画像方式により、前記共通配線に接続された一括点灯画像検査ＰＡＤに検査ピンを当て画像検査を行う点灯画像検査工程と、を備える液晶表示パネルの製造方法であって、前記一括点灯画像検査用ＰＡＤを、前記走査信号駆動ＩＣおよび映像信号駆動ＩＣの少なくともいずれか一方の出力端子と入力端子との間に形成することを特徴とする液晶表示パネルの製造方法である。
【０００９】
【発明の実施の形態】
本発明の実施の形態の液晶表示パネルを図１に基づいて説明する。
【００１０】
図１および図２は、この発明の実施の形態の液晶表示パネルを示す図であり、図３に示した液晶表示パネルと同一構成部分には同一符号を付した。図２は図１のＡ部を拡大した図でる。この液晶表示パネルは図３に示した液晶表示パネルと同様、複数の走査信号配線４と複数の映像信号配線５の少なくとも一方と、液晶画面表示エリアの外側に設けられた共通配線７とを接続し、前記共通配線は一括点灯画像検査用PAD８と接続されている。
【００１１】
また、画面表示エリアの短辺側のセンターと液晶表示パネルの透明基板（本実施の形態ではガラス基板）外形の短辺側のセンター１１が略一致するよう、すなわち、画面表示エリアがガラス基板１の短辺の２等分線に対してほぼ左右対照な配置となるよう、映像信号駆動IC２と走査信号駆動IC３の両方をガラス基板１の１短辺（図１においては下側１辺）に沿って画面表示エリア外に実装する。
【００１２】
このような構成にすると、下側１辺以外は対向側のガラス基板によって挟まれた構成になり、一括点画検査用端子にピンをプロービングするには下側１辺しかなくなってしまう。また、下側１辺には、走査信号駆動IC３および映像信号駆動IC２を少なくとも２つを実装することが必要となることから、一括点灯画像検査用端子８を形成することが困難である。
【００１３】
そこで、図２に示すように、映像信号駆動IC２の出力端子１３と入力端子１２の間に一括点灯画像検査用PAD８を形成する。このような構成にすれば、確実に簡易点灯画像検査を行えるようにでき、生産性の向上及び歩留まりの向上につながる。
【００１４】
なお、本実施の形態では、映像信号駆動IC２の出力端子１３と入力端子１２の間に一括点灯画像検査用PAD８を形成したが、走査信号駆動IC３の出力端子１３と入力端子１２の間に一括点灯画像検査用PAD８を形成してもよいことは言うまでもない。また、本発明の液晶表示パネルは携帯電話、ＰＤＡなどの携帯情報端末の表示デバイスとして好適に用いられる。
【００１５】
【発明の効果】
以上のように本発明によれば、確実に簡易画像検査工程を行えるようにでき、液晶表示パネルの生産性向上および歩留まり向上につながる。
【図面の簡単な説明】
【図１】本発明の実施の形態の液晶表示パネルの構成を示す図
【図２】図１の液晶表示パネルのＡ部拡大図
【図３】従来の液晶表示パネルの概略構成図
【符号の説明】
１  ガラス基板
２  映像信号駆動IC
３  走査信号駆動IC
４  走査信号配線
５  映像信号配線
６  表示エリア
７  共通バス配線
８  一括点灯画像検査用PAD
９  画素電極
１０  TFT
１１  画面センター
１２  映像信号駆動ICの入力端子
１３  映像信号駆動ICの出力端子
【図１】
0003971153.tif 000002
【図２】
0003971153.tif 000003
【図３】
0003971153.tif 000004